(57)【要約】【課題】光ピックアップを簡単な構造で精度よく案内する。【解決手段】光ピックアップ１３を摺動自在に案内する一対のガイドシャフト１４，１５のうち一方のガイドシャフト１４の軸方向両端を、カム部３０ｂ，３１ｂを有した支持部材３０，３１でシャーシ１２に支持すると共に、シャーシ１２の面と垂直な面に対して傾斜したテーパ面を有するガイドシャフト当接部３２ｂ，３３ｂを備えた与圧部材３２，３３でガイドシャフト１４に弾性力を付与し、反対側のガイドシャフト１４周面をストッパ部材で位置規制することで、ガイドシャフト１４に与圧を与える。【選択図】      図４
2004178764.tif 000002
【特許請求の範囲】
【請求項１】
ディスク媒体に対して情報の記録あるいは再生を行なう光ピックアップを前記ディスク媒体の径方向に摺動自在に支持するガイドシャフトと、
前記ガイドシャフトをシャーシに対して支持する複数の支持部材と、
前記支持部材の少なくとも一つに前記ガイドシャフトの前記シャーシ面との間隔を調整すべく設けられた調整機構と、
前記ガイドシャフトを前記調整機構に対して前記シャーシ面方向に所定の圧力で押圧する与圧手段であって、前記ガイドシャフトの周面に当接してガイドシャフトに対して前記シャーシ面と垂直でシャーシ面に向かう方向とシャーシ面に水平な方向の合成ベクトルを有する力を付与することが可能なテーパ面を有した与圧部材及び前記与圧部材を前記ガイドシャフトに押圧させて前記合成ベクトル方向の弾性力を付与させる弾性部材及び前記ガイドシャフトの前記与圧部材が当接する周面とは反対側の周面に当接して当該ガイドシャフトの位置を規制するように設けられたストッパ部材から構成される与圧手段と、
を具備したことを特徴とする光ピックアップの案内装置。
【請求項２】
前記与圧部材と、ストッパ部材は前記支持部材の近傍に設けられていることを特徴とする請求項１に記載の光ピックアップの案内装置。
【請求項３】
前記支持部材が前記ガイドシャフトの軸方向両端を支持するように配置されていることを特徴とする請求項１及び２のいずれかに記載の光ピックアップの案内装置。
【請求項４】
ディスク媒体に対して情報の記録あるいは再生を行なう光ピックアップ装置を前記ディスク媒体の径方向に摺動自在に支持する一対のガイドシャフトと、
前記ガイドシャフトの軸方向端部をそれぞれシャーシに対して支持する複数の支持部材と、
前記一方のガイドシャフトの支持部材のそれぞれに前記ガイドシャフトの前記シャーシ面との間隔を調整すべく設けられた調整機構と、
前記調整機構が設けられた支持部材で支持されたガイドシャフトを前記調整機構に前記シャーシ面方向に所定の圧力で押圧する与圧手段であって、前記ガイドシャフトの周面に当接してガイドシャフトに対して前記シャーシ面と垂直でシャーシ面に向かう方向とシャーシ面に水平な方向の合成ベクトルを有する力を付与することが可能なテーパ面を有した与圧部材及び前記与圧部材を前記シャフトに押圧させて前記合成ベクトル方向の弾性力を付与させる弾性部材及び前記ガイドシャフトの前記与圧部材が当接する周面とは反対側の周面に当接して当該ガイドシャフの位置を規制するように設けられたストッパ部材から構成される与圧手段と、
を具備したことを特徴とする光ピックアップの案内装置。
【請求項５】
前記与圧部材と、ストッパ部材は前記支持部材の近傍に設けられていることを特徴とする請求項４に記載の光ピックアップの案内装置。
【請求項６】
前記調整機構が設けられた支持部材で支持されたガイドシャフトとは異なるガイドシャフトの２つの支持部材は、一方に当該ガイドシャフと前記シャーシ面との距離を調整する調整機構が設けられていることを特徴とする請求項４に記載の光ピックアップの案内装置。
【請求項７】
前記与圧部材は、前記シャーシに植立された基部と、この基部のシャーシ方向端部から前記基部と所定間隔を置いて基部に対向するように延設され、その先端部に前記基部とは反対側に前記テーパ面が設けられたガイドシャフト当接部とでなり、
前記弾性部材が、前記テーパ面の反対側の面と前記基部との間に配設されていることを特徴とする請求項１乃至８のいずれかに記載の光ピックアップの案内装置。
【請求項８】
前記与圧部材は、樹脂によって前記シャーシにアウトサート成形され、前記ガイドシャフト当接部が弾性を有することを特徴とする請求項７に記載の光ピックアップの案内装置。
【発明の詳細な説明】
【０００１】
【発明の属する技術分野】
本発明は、ＣＤ（Ｃｏｍｐａｃｔ  Ｄｉｓｋ）プレーヤ、ＤＶＤ（Ｄｉｇｉｔａｌ  Ｖｅｒｓａｔｉｌｅ  Ｄｉｓｋ）レコーダ等のメディアディスク機器に適用される光ピックアップの案内装置に関し、特に簡単な構造によって光ピックアップを精度よく案内することが可能な案内装置に関する。
【０００２】
【従来の技術】
昨今の、メディアディスク機器においては、ＣＤ−ＲＯＭ（Ｃｏｍｐａｃｔ  Ｄｉｓｋ−Ｒｅａｄ  Ｏｎｌｙ  Ｍｅｍｏｒｙ）に対応するばかりでなく、ＣＤ−Ｒ（Ｃｏｍｐａｃｔ  Ｄｉｓｋ−Ｒｅｃｏｒｄａｂｌｅ）、ＣＤ−ＲＷ（Ｃｏｍｐａｃｔ  Ｄｉｓｋ−ＲｅＷｒｉｔｂｌｅ）、さらにはＤＶＤ（Ｄｉｇｉｔａｌ  ＶｅｒｓａｔｉｌｅＤｉｓｋ）にも対応可能ないわゆるマルチドライブの機器が広く普及してきており、ディスクトップパソコンの外付け機器として利用されるばかりではなく、ノートパソコンの内蔵機器としても適用されるようになってきている。
【０００３】
したがって、外形寸法も可能な限り小型化、薄型化が要求されてきており、内部の機構も簡素なものとなりつつある。しかしながら、これらメディアディスク機器においては、光ピックアップによって記録媒体であるディスクから情報を読取りあるいは書き込み動作を行なうものであり、光ピックアップの駆動については相応の精度を要求されるため、その部分を対象とする小型化、薄型化の推進ということに関しては、必ずしも満足のできる提案がなされていないのが実状である。
【０００４】
特に、光ピックアップを、ディスクに対して移送案内する案内装置については、通常、光ピックアップのディスクに対する傾きを調整するいわゆるチルト調整機構が設けられているが、その構成が複雑になっていて改善の余地があった。
すなわち、従来の光ピックアップ案内装置としては、例えば、特許文献１に記載のように、光ピックアップを摺動自在に案内するレール部材の端部をばね部材で支持し、調整ネジによって高さを調整するようにしたものが提案されている。あるいは、特許文献２に示すように、光ピックアップを案内するガイドシャフトの端部をカムで支持すると共に、その端部を戻りコイルバネで上からカムに押さえつけるように構成したものが提案されている。
前者においては、レール部材の端部をばねで支持するため、その部分の構成が複雑になり、装置が大型にならざるを得ないという問題がある。
後者においては、構造は簡単であるが、ガイドシャフトを戻りコイルバネでカムに押え付けるという構造であるため、大きな部品を必要とし、さらに精度という点でも充分なものが得られないという問題を有するものである。
【特許文献１】
特開２００１−２６６３６３号公報（第６頁［００３０］、図２）
【特許文献２】
特開２００１−３０７４３６号公報（第４頁［００２５］、図３）
【０００５】
【発明が解決しようとする課題】
以上のように、従来の光ピックアップの案内装置においては、チルト調整機構の構造が複雑で、小型化という点で充分でなく、さらに精度も満足できるものが得られないという問題を有していた。
本発明は、以上の点に対処してなされたものであり、ガイドシャフトの端部を調整機構を備えた支持部材で支持すると共に、与圧部材で、ガイドシャフトに与圧を与えるように構成して、装置の小型化と、精度の確保を達成することができる光ピックアップの案内装置を提供することを目的とする。
【０００６】
【課題を解決するための手段】
本発明の光ピックアップの案内装置は、ディスク媒体に対して情報の記録あるいは再生を行なう光ピックアップ装置を前記ディスク媒体の径方向に摺動自在に支持するガイドシャフトと、前記ガイドシャフトをシャーシに対して支持する複数の支持部材と、前記支持部材の少なくとも一つに前記ガイドシャフトの前記シャーシ面との間隔を調整すべく設けられた調整機構と、前記ガイドシャフトを前記調整機構に前記シャーシ面方向に所定の圧力で押圧する与圧手段であって、前記ガイドシャフトの周面に当接してガイドシャフトに対して前記シャーシ面と垂直でシャーシ面に向かう方向とシャーシ面に水平な方向の合成ベクトルを有する力を付与することが可能なテーパ面を有した与圧部材及び前記与圧部材を前記シャフトに押圧させて前記合成ベクトル方向の弾性力を付与させる弾性部材及び前記ガイドシャフトの前記与圧部材が当接する周面とは反対側の周面に当接して当該ガイドシャフの位置を規制するように設けられたストッパ部材から構成される与圧手段と、を具備したことを特徴とする。
【０００７】
本発明によれば、簡単な構造で精度よく、光ピックアップを案内することができるものである。
さらに、本発明の光ピックアップの案内装置は、ディスク媒体に対して情報の記録あるいは再生を行なう光ピックアップ装置を前記ディスク媒体の径方向に摺動自在に支持する一対のガイドシャフトと、前記ガイドシャフトの軸方向端部をそれぞれシャーシに対して支持する複数の支持部材と、前記一方のガイドシャフの支持部材のそれぞれに前記ガイドシャフトの前記シャーシ面との間隔を調整すべく設けられた調整機構と、前記調整機構が設けられた支持部材で支持されたガイドシャフトを前記調整機構に前記シャーシ面方向に所定の圧力で押圧する与圧手段であって、前記ガイドシャフトの周面に当接してガイドシャフトに対して前記シャーシ面と垂直でシャーシ面に向かう方向とシャーシ面に水平な方向の合成ベクトルを有する力を付与することが可能なテーパ面を有した与圧部材及び前記与圧部材を前記シャフトに押圧させて前記合成ベクトル方向の弾性力を付与させる弾性部材及び前記ガイドシャフトの前記与圧部材が当接する周面とは反対側の周面に当接して当該ガイドシャフの位置を規制するように設けられたストッパ部材から構成される与圧手段と、を具備したことを特徴とする。
【０００８】
本発明によれば、簡単な構造で精度よく、光ピックアップを案内することができるものである。
【０００９】
【発明の実施の形態】
以下、図面を参照しながら本発明の実施の形態を詳細に説明する。
図１は、本発明の光ピックアップの案内装置の一実施の形態を備えたメディアディスク機器１０を示す平面図である。また、図２は、図１に示す機器１０を裏側から見た裏面図である。さらに、図３は、図１から光ピックアップを主体に抽出して示す図である。
【００１０】
図１において、１１は図示しないディスクが装着されるターンテーブルであり、シャーシ１２に取り付けられた図示しないディスク駆動モータの回転軸に固定されている。
１３は光ピックアップであり、一対のガイドシャフト１４，１５に摺動自在に案内される。
図３も参照してさらに説明すると、光ピックアップ１３は、光ピックアップ本体１６と、この光ピックアップ本体１６が取り付けられた印刷配線基板１７と、印刷配線基板１７が取り付けられるホルダ１８を有し、ホルダ１８に、ガイドシャフト１４，１５に摺動自在に係合する係合部材１９，２０が設けられている。
【００１１】
ガイドシャフト１４に係合する係合部材１９は単一に形成されガイドシャフト１５に係合する係合部材２０は、ガイドシャフト１５の軸方向に所定間隔をおいて２個設けられている。
係合部材２０，２０は、ホルダ１８に固定されたラック部２１内に収容されている。ラック部２１には、外方に向けてラック２２が形成され、このラック２２に、ピニオン歯車２３が噛合されている。
ピニオン歯車２３の回転によってラック２２に、ガイドシャフト１４，１５の軸方向の力が伝えられることによって、光ピックアップ１３がガイドシャフト１４，１５に案内されつつ移送される。
ピニオン歯車２３は、シャーシ１２の折り曲げ部２４に取り付けられたフィードモータ２５によって駆動される。
すなわち、図２に示すように、フィードモータ２５の回転軸には、ウォームギア２６が設けられ、このウオームギア２６は、歯車２７を駆動する。歯車２７には、ピニオン歯車２３が同軸に一体的に形成されており、結局、フィードモータ２５によって歯車２７を介してピニオン歯車２３が駆動され光ピックアップ１３が移送されることになる。なお、歯車２７は、平歯歯車あるいははすば歯車である。
【００１２】
図１は、光ピックアップ１３が図示しないディスクの最も内周側に位置した状態を示し、光ピックアップ１３はこの状態から、フィードモータの一方の回転によってターンテーブル１１から離れる方向に移送され、他方の回転によってターンテーブル１１に近づく方向に移送されることになる。
【００１３】
なお、図３において、印刷配線基板１７には、コネクタ２８が設けられており、コネクタ２８にケーブル２９を結合して、光ピックアップ本体１６と信号のやりとりが行なわれる。
次に、本発明の光ピックアップの案内装置の一実施の形態について詳細に説明する。
図１において、ガイドシャフト１４は、その両端がそれぞれ支持部材３０，３１によって、シャーシ１２に対して支持されている。支持部材３０，３１は、先端に対シャーシ面との高さが変化するカム部が設けられた円筒状に形成されており、かつ軸を中心に回動可能に構成されている。
【００１４】
ガイドシャフト１４は、その軸方向両端が、支持部材３０，３１のカム部に載置されるように組み込まれる。
支持部材３０，３１にそれぞれ隣接して、与圧部材３２，３３が設けられている。与圧部材３２，３３は、ガイドシャフト１４に対して、シャーシ１２の面に垂直な方向とシャーシ１２の面と水平な方向の合成ベクトル方向に力を付与することが可能なテーパ面を有し、圧縮バネで構成される弾性部材３４，３５によってガイドシャフト１４に圧接されることで与圧を与えている。
【００１５】
さらに与圧部材３２，３３に隣接して、与圧部材３２，３３が接するガイドシャフト１４の周面とは反対側の周面に接するようにストッパ部材３６，３７が設けられている。ストッパ部材３６，３７は、与圧部材３２，３３によってガイドシャフト１４に付与される与圧を、その与圧の方向とは反対側で受けて、ガイドシャフト１４を位置を規制することで、与圧がガイドシャフト１４に正常に作用するように働く。
【００１６】
その状態において、支持部材３０，３１を回転されることで、ガイドシャフト１４と接するカム部が動き、ガイドシャフト１４のシャーシ１２面に対する高さを調整することができるものである。
支持部材３０，３１は、図２に示すように、シャーシ１２の裏面側において、マイナスドライバ等の冶具によって回転駆動されるように調整溝３０ａ，３１ａが形成されており、この溝３０ａ，３１ａに冶具を挿入して回すことで回転するように構成されている。
【００１７】
以上のようにして、ガイドシャフト１４のシャーシ１２に対する高さ、傾きを調整することが可能となる。
なお、図１に示す機器１０では、ガイドシャフト１５も調整機構を備えた支持部材３８によって、シャーシ１２に支持されている。
すなわち、ガイドシャフト１５は、軸方向の一端が支持部材３８によってシャーシ１２に調整可能に支持され、他端が調整不可状態で支持されている。支持部材３８は、ガイドシャフト１５が嵌挿される嵌挿部３８ａと、調整部３８ｂとを一体的に有し、さらにその中間部において、シャーシ１２に植設された軸３８ｃに摺動可能に装着されている。調整部３８ｂは、円筒状のカム部の上に載置されるように構成され、カム部を回動させることによって、調整部３８ｂのシャーシ１２面との距離が変更され、一体的に形成されている嵌挿部３８ａも同様に位置を変えることになり、ガイドシャフト１５の調整を行なうことができるようになるものである。
【００１８】
調整部３８ｂも、シャーシ１２裏側から回動可能となるように、図２に示すように、冶具が結合する溝３８ｄが設けられている。
図４は、ガイドシャフト１４と支持部材３０，３１の構成を詳細に示す図である。
支持部材３０は、円筒状径大部の先端にシャーシ１２面に対して傾斜するカム面を有するカム部３０ｂを有し、このカム部３０ｂが軸を中心にして回動するようにシャーシ１２に樹脂によってアウトサート成形されている。前述のように、シャーシ１２の裏面側には、調整用の溝３０ａ（図２参照）が設けられており、この溝３０ａに冶具を挿入して回動することによって、カム部３０ｂが回動して、ガイドシャフト１４が載置されているカム面の高さが変化してガイドシャフト１４の高さ調整が実行される。
【００１９】
同様に、支持部材３１は、円筒状径大部の先端にシャーシ１２面に対して傾斜するカム面を有するカム部３１ｂを有し、このカム部３１ｂが軸を中心にして回動するようにシャーシ１２に樹脂によってアウトサート成形されている。前述のように、シャーシ１２の裏面側には、調整用の溝３１ａ（図２参照）が設けられており、この溝３１ａに冶具を挿入して回動することによって、カム部３１ｂが回動して、ガイドシャフト１４が載置されているカム面の高さが変化してガイドシャフト１４の端部の高さ調整が実行される。
【００２０】
支持部材３０，３１に隣接するように与圧部材３２，３３と、ストッパ部材３６，３７が設けられており、この与圧部材３２，３３とストッパ部材３６，３７によって、ガイドシャフト１４は、支持部材３０，３１のカム部３０ｂ，３１ｂのカム面に所定の力で押え付けられるようになる。
【００２１】
図５は、与圧部材３２，３３とストッパ部材３６，３７の作用を説明するために、特に与圧部材３２とストッパ部材３６を取り出して、ガイドシャフト１４の軸方向から見た状態を示す図である。
与圧部材３２は、シャーシ１２に植設された基部３２ａと、基部３２ａのシャーシ１２側端部から、基部３２ａと所定間隔をおいて対向するように延設されたガイドシャフト当接部３２ｂを有し、ガイドシャフト当接部３２ｂの基部３２ａと反対側にシャーシ１２の面方向に傾斜するテーパ面３２ｃが設けられている。与圧部材３２は、以上の各部が一体的に成形されるように樹脂によってシャーシに対してアウトサート成形されており、ガイドシャフト当接部３２ｂは自身弾性を有する。
【００２２】
さらに基部３２ａとガイドシャフト当接部３２ｂの間に圧縮バネで構成される弾性部材３４が嵌合されている。
ストッパ部材３６は、先端からシャーシ１２の面と略垂直に形成されたガイドシャフト当接面３６ａを有し、樹脂によってシャーシ１２にアウトサート成形されている。ガイドシャフト当接面３６ａは、支持部材３０のカム面の最低部よりもさらにシャーシ１２の面に近い位置まで設けられている。
【００２３】
弾性部材３４の作用により、与圧部材３２のガイドシャフト当接部３２ｂのテーパ面３２ｃが所定の弾性力で、ガイドシャフト１４に当接して、ガイドシャフト１４を、シャーシ１２の面方向でかつ斜め方向に押圧する。すなわち、このときの力は、シャーシ１２の面と平行なガイドシャフト方向の力と、シャーシ１２の面に向かう垂直方向の力がベクトル的に合成されたものとなっている。
【００２４】
ガイドシャフト１４の、与圧部材３２のガイドシャフト当接部３２ｂと当接する周面と反対側の周面には、ストッパ部材３６のガイドシャフト当接面３６ａが当接することにより、ガイドシャフト１４のシャーシ１２の面と平行な方向への位置が規制される。すなわち、シャーシ１２の面と水平な方向の与圧が達成される。
【００２５】
一方、ガイドシャフト１４のシャーシ１２の面に向かう面と垂直方向への位置は、支持部材３０のカム部３０ｂで規制され、同方向の与圧が達成される。
この結果、ガイドシャフト１４は、その端部が適正な弾性力で支持部材３０に支持されることになり、シャーシ１２の面に対する距離を精度よく調整することができるものである。
なお、もう一方の支持部材３１側の与圧部材３３とストッパ部材３７も、図５に示したものと全く同じ構成であり、詳細な説明は省略する。
以上のような構成において、ガイドシャフト１４の軸方向両端のシャーシ１２の面との距離と、ガイドシャフト１５の支持部材３８で支持された側の端部のシャーシ１２の面との距離を調整することによって、光ピックアップのチルト調整が行なえるものである。
【００２６】
なお、以上説明した実施の形態では、ガイドシャフト１４の両端を調整機構をもった支持部材で支持して、調整するように構成したが、必ずしも両方の支持部材を調整機構付きとする必要はなく、一方の支持部材にのみ調整機構を設けるようにしてもよい。その場合、与圧部材とストッパ部材は、必ずしも調整機構付きの支持部材に近接して設ける必要はない。
【００２７】
以上のように、本発明の光ピックアップの案内装置によれば、ガイドシャフトをカム部を有した支持部材で支持すると共に、与圧部材とストッパ部材によって、ガイドシャフトに与圧を与えるように構成したので、簡単な構造で、精度よくガイドシャフトを支持することができるものである。
【００２８】
【発明の効果】
以上のように、本発明によれば、ガイドシャフトをカム部を有した支持部材で支持し、このガイドシャフトに、与圧部材によってシャーシ面と平行な方向及びシャーシ面と垂直な方向の合成ベクトルで表される弾性力を付与すると共に、ガイドシャフトの反対側の周面をストッパ部材で位置規制するようにしたので、簡単な構造で精度よく光ピックアップを案内することができるものである。
【図面の簡単な説明】
【図１】本発明に係る、光ピックアップの案内装置を搭載した機器を示す平面図。
【図２】図１に示す機器を裏側から見た裏面図。
【図３】図１に示す装置の要部の構成を示す図。
【図４】図１に示す装置の他の要部の構成を示す図。
【図５】図４に示す装置の要部を他の方向から見た図。
【符号の説明】
１１…ターンテーブル
１２…シャーシ
１３…光ピックアップ
１４，１５…ガイドシャフト
１６…光ピックアップ本体
１７…印刷配線基板
１８…ホルダ
１９，２０…係合部材
２１…ラック部
２２…ラック
２３…ピニオン歯車
２５…フィードモータ
２６…ウォームギア
２７…歯車
３０，３１…支持部材
３２，３３…与圧部材
３６，３７…ストッパ部材
【図１】
2004178764.tif 000003
【図２】
2004178764.tif 000004
【図３】
2004178764.tif 000005
【図４】
2004178764.tif 000006
【図５】
2004178764.tif 000007